(57)【特許請求の範囲】
【請求項１】
後パネル、側パネル、前パネル、側パネル、表示パネルが折れ線を介して折り曲げ可能に連設され、前記後パネルの上辺には天下パネルが、下辺には底下パネルが折れ線を介して折り曲げ可能に連設され、前記前パネルの上辺には天パネルが、下辺には底パネルが折れ線を介して折り曲げ可能に連設され、前記両側パネルの上辺および下辺には折り込み片がそれぞれ折れ線を介して折り曲げ可能に連設されたブランクを組み立ててなるカートンであって、前記後パネルの該後パネルと同形状か少なくとも小さい面積の範囲の形状で形成される前記表示パネルを重ね合わせた領域内には、該後パネルの開放辺に始点及び終点を有する切り取り手段により切り取り可能な情報を記載したカード状の切り取り部と、該切り取り部以外の領域にスポット状の接着剤塗布部を内部に含む円形の半切れ部とを設け、前記後パネルに前記表示パネルを部分的に接着して重ね合わせたことを特徴とする表示パネル付きカートン。
【請求項２】
前記切り取り手段が、ミシン目であることを特徴とする請求項１に記載の表示パネル付きカートン。
【発明の詳細な説明】
【０００１】
【発明の属する技術分野】
この発明は、食品、医薬品等の説明文を多く記載しなければならない商品で記載された情報を部分的に簡単に切り取り保管できる表示パネル付きカートンに関するものである。
【０００２】
【従来の技術】
従来から、食品、医薬品等の内容物を収納したカートンにおいて、商品についての内容説明、使用方法等の情報は、これらの内容物を収納するカートンの表面に印刷されている。料理のレシピなどの部分を保管する場合には、カートンのまま保管するか、ハサミなどを使用して切り取って保管していた。
【０００３】
【発明が解決しようとする課題】
しかしながら、内容説明、使用方法等の情報をカートンの表面に印刷する場合には、カートンの表面積によって印刷する部分が限定されるため、充分な量の内容説明、使用方法等の情報を記載することができないという問題があった。
【０００４】
また、料理のレシピなど保管する必要のある情報は、カートンのまま保管するか、ハサミなどを使用して切り取る必要があり、消費者にとっては不便な状況であった。
【０００５】
本発明は、カートンに記載できる表面積を増やすために、表示パネルを設けると共に、保管する必要のある情報を記載した部分を簡単にカード状に切り取ることができる表示パネル付きカートンを提供することを目的とするものである。
【０００６】
【課題を解決するための手段】
上記の目的を達成するために、本発明は、後パネル、側パネル、前パネル、側パネル、表示パネルが折れ線を介して折り曲げ可能に連設され、前記後パネルの上辺には天下パネルが、下辺には底下パネルが折れ線を介して折り曲げ可能に連設され、前記前パネルの上辺には天パネルが、下辺には底パネルが折れ線を介して折り曲げ可能に連設され、前記両側パネルの上辺および下辺には折り込み片がそれぞれ折れ線を介して折り曲げ可能に連設されたブランクを組み立ててなるカートンであって、前記後パネルの該後パネルと同形状か少なくとも小さい面積の範囲の形状で形成される前記表示パネルを重ね合わせた領域内には、該後パネルの開放辺に始点及び終点を有する切り取り手段により切り取り可能な情報を記載したカード状の切り取り部と、該切り取り部以外の領域にスポット状の接着剤塗布部を内部に含む円形の半切れ部とを設け、前記後パネルに前記表示パネルを部分的に接着して重ね合わせたことを特徴とする表示パネル付きカートンである。
【０００７】
また、前記切り取り手段が、ミシン目であることを特徴とする。
【００１０】
本発明によれば、表示パネルを設けることにより、カートンに記載できる表面積を増やすことができると共に、必要な情報を記載した部分を簡単にカード状に切り取り保管することができる表示パネル付きカートンを得ることができる。
【００１１】
【発明の実施の形態】
以下、図面を用いて本発明の実施の形態を説明する。なお、幾つかの図面に渡って同一または同様な部分には同一の符号を付けている。
【００１２】
図１は本発明の表示パネル付きカートンの実施の形態の一実施例を示す斜視図である。表示パネル付きカートンＡは、四つの側面１と天部２と底部３とからなる直方体形状のカートンであり、側面１が後パネル１１、側パネル１２、前パネル１３、側パネル１４そして表示パネル１５とからなり、表示パネル１５が後パネル１１の少なくとも一部に重なった状態となっている。また、表示パネル１５が重ねられた後パネル１１には、一部を切り取り手段Ｆとしてミシン目でカード状に切り取り可能な切り取り部１１ａとし、この部分に保管する必要のある情報を記載している。
【００１３】
図２は本発明の表示パネル付きカートンの実施の形態の一実施例のブランクの展開図である。ブランク１０は、折れ線ａ、ｂ、ｃ、ｄを介して、後パネル１１、側パネル１２、前パネル１３、側パネル１４そして表示パネル１５を順次連設している。また、後パネル１１の上辺には、折れ線ｅを介して天下パネル１６を、下辺には、折れ線ｆを介して底下パネル１７を連設し、側パネル１２の上辺には、折れ線ｇを介して折り込み片１８を、下辺には、折れ線ｈを介して折り込み片１９を連設し、前パネル１３の上辺には、折れ線ｉを介して天パネル２０を、下辺には、折れ線ｊを介して底パネル２１を連設し、側パネル１４の上辺には、折れ線ｋを介して折り込み片２２を、下辺には、折れ線ｌを介して折り込み片２３を連設している。そして、後パネル１１の開放辺には、表示パネル１５が重ね合わせられる領域内に切り取り手段Ｆとしてのミシン目によりカード状に切り取り可能な部分１１ａを設けている。この切り取り手段Ｆは、ミシン目以外に半切れ、リード罫、ジッパーなどを用いることができる。さらに、表示パネル１５において、辺の一部には、摘み片１５ａを設けてもよい。
【００１４】
また、表示パネル１５の形状は、本実施例では、台形としているが、後パネル１１と同形状の矩形でもよい。すなわち、後パネル１１より小さい面積の範囲で、種々の形状とすることができる。
【００１５】
なお、本実施例では、カートンの形態をシールカートン形式としているが、サックカートン形式とすることもできる。また、天下パネル１６、折り込み片１８、天パネル２０、折り込み片２２、および底下パネル１７、折り込み片１９、底パネル２１、折り込み片２３を連設する位置関係については、本実施例に限定されるものではない。
【００１６】
つぎに、図２に示した展開されたブランク１０からの本実施の形態の表示パネル付きカートンＡを組立てる工程について図を用いて説明する。
【００１７】
まず、ブランク１０の状態から、図３−ａに示すように、折り畳まれた状態の表示パネル付きカートンＡとする。このとき、表示パネル１５を後パネル１１に重ね合わせて、図３−ｂに示すように、スポット状に接着剤を塗布して（接着剤塗布部分Ｇ）後パネル１１の表面に表示パネル１５の裏面を貼り合わせる。スポット状の接着剤塗布部分Ｇの位置は、後パネル１１の表示パネル１５が重ね合わされた領域であって、カード状の切り取り部分１１ａを除いた領域内になる。このスポット的に貼り合わせるには、ホットメルト接着剤を使用する方法とエマルジョン型接着剤を使用する方法があるが、この加工は、従来の製函工程で行うことができる。
【００１８】
つぎに、従来の所謂カートニングマシーンによって、表示パネル付きカートンＡが組み立てられ、内容物が充填され、密封される。
【００１９】
まず、折り畳まれた状態から、図３−ｃに示すように起こされた状態とする。つぎに、図３−ｄに示すように、底部３を形成する。まず、二つの折り込み片１９、２３を内側に折り込み、つぎに底下パネル１７を内側に折り曲げ、さらに、底パネル２１を折り曲げて底下パネル１７と接着して固定する。
【００２０】
この図３−ｄに示した状態で、天部２側から内容物４をカートン内に挿入する。そして、底部３の形成と同様に、二つの折り込み片１８、２２を内側に折り込み、つぎに天下パネル１６を内側に折り曲げ、さらに、天パネル２０を折り曲げて天下パネル１６と接着して固定して、図１に示すように、表示パネル付きカートンＡの組立ておよび内容物の充填包装を終了する。
【００２１】
また、図４に示すように、このスポット的に貼り合わせる時に、スポット状の接着剤塗布部分Ｇの面積より広い円形状の半切れ部分Ｈを設ける方法をとることができる。このことにより、スポット的に貼り合わされた表示パネル１５を後パネル１１から剥がす時に、円形の半切れ部が紙の層間剥離を起こし、容易に部分より表示パネル１５を後パネル１１から剥がすことができる。
【００２２】
上述のように作製された本発明の表示パネル付きカートンＡを実際に使用する時には、まず、表示パネル１５の端辺あるいは摘み辺１５ａを取っ掛かりとして表示パネル１５を後パネル１１から剥がす。つぎに、表示パネル１５を外側に開くことによって、側パネル１４も外側に開かれて、表示パネル付きカートンＡの側面が開口され、この開口部から内容物を取り出すことができる。つづいて、内容物を取り出した後、表示パネル付きカートンＡの後パネル１１の種々の情報が記載されたカード状の切り取り部分１１ａをミシン目に従って切り取り、保管することができる。
【００２３】
【発明の効果】
以上説明したように、本発明の表示パネル付きカートンによれば、表示パネルを設けることによって、カートンに記載できる表面積を増やすことができ、また、表示パネルは後パネルに重なった状態であり、この表示パネルを後パネルから剥がすことにより、側面が開口して、内容物を取り出すことができ、使用後に、後パネルに設けた情報を記載したカード状の切り取り部分を切り取り保管することができるという効果がある。また、本発明の表示パネル付きカートンは、従来の製函工程で製造することができ、そして、従来のカートニングマシンによってカートンの組立ておよび内容物の充填を行うこうとができる。
【図面の簡単な説明】
【図１】本発明の表示パネル付きカートンの実施の形態の一実施例を示す斜視図である。
【図２】本発明の表示パネル付きカートンの実施の形態の一実施例のブランクの展開図である。
【図３】本発明の表示パネル付きカートンの実施の形態の一実施例の組み立てを説明する斜視図である。
【図４】本発明の表示パネル付きカートンの後パネルと表示パネルを貼り合わせる接着剤の塗布部の例を示す概略平面図である。
【符号の説明】
Ａ    表示パネル付きカートン
１    側面
２    天部
３    底部
４    内容物
１０    ブランク
１１    後パネル
１１ａ  切り取り部
１２    側パネル
１３    前パネル
１４    側パネル
１５    表示パネル
１５ａ  摘み片
１６    天下パネル
１７    底下パネル
１８    折り込み片
１９    折り込み片
２０    天パネル
２１    底パネル
２２    折り込み片
２３    折り込み片
Ｆ    切り取り手段
Ｇ    接着剤塗布部
Ｈ    半切れ部
【図１】
0004676592.tif 000002
【図２】
0004676592.tif 000003
【図３】
0004676592.tif 000004
【図４】
0004676592.tif 000005